(57)【特許請求の範囲】
【請求項１】
ユーザに関連する少なくとも１つ以上のコミュニケーションサーバの統合コミュニケーションツールを提供する統合コミュニケーションツール提供部と、
互いに異なる複数の端末で動作する統合コミュニケーションツールを介して同一のユーザがマルチログインする場合、前記ユーザのマルチログイン情報を管理するマルチログイン管理部と、
前記マルチログイン情報と前記ユーザがマルチログインした前記複数の端末で発生するユーザイベントとに基づいて前記ユーザに関連するデータを送信する少なくとも１つの端末を決定する端末決定部と、
前記決定された少なくとも１つの端末に前記データを送信する通信部と、
を備え、
前記統合コミュニケーションツールは、第１のユーザインタフェースを含み、
前記通信部は、前記ユーザがマルチログインした前記複数の端末の前記第１のユーザインタフェースに前記ユーザがマルチログインした前記複数の端末の端末情報を提供し、
前記ユーザによって、マルチログインした他の前記複数の端末のうちログアウトさせる端末が選択可能であることを特徴とする統合コミュニケーションシステム。
【請求項２】
前記コミュニケーションツールは、前記コミュニケーションサーバを介して送信されるお知らせデータを前記ユーザに提供する機能、前記ユーザから入力されるデータを前記コミュニケーションサーバに送信するための機能、および前記コミュニケーションサーバを通した前記ユーザと他のユーザとの間のリアルタイムのチャットをサポートする機能のうち少なくとも１つの機能を提供することを特徴とする請求項１に記載の統合コミュニケーションシステム。
【請求項３】
前記統合コミュニケーションツールは、ウェブブラウザ上でオーバーレイ形式で動作する環境、有線端末に設置されて動作する環境、および無線端末に設置されて動作する環境のうち少なくとも２つ以上の環境で動作することを特徴とする請求項１に記載の統合コミュニケーションシステム。
【請求項４】
前記端末決定部は、前記ユーザに関連するデータがお知らせデータである場合、前記マルチログイン情報に基づいて前記ユーザがマルチログインした全ての端末を前記少なくとも１つの端末として決定することを特徴とする請求項１に記載の統合コミュニケーションシステム。
【請求項５】
前記統合コミュニケーションツールは、ウェブブラウザ上でオーバーレイ形式で動作し、前記ウェブブラウザを介して活性化された複数のインターネットウィンドウそれぞれに対して同一の第２のユーザインタフェースを提供することを特徴とする請求項１に記載の統合コミュニケーションシステム。
【請求項６】
前記統合コミュニケーションツールで受信したデータによる動作が前記第２のユーザインタフェースに同一に発生することを特徴とする請求項５に記載の統合コミュニケーションシステム。
【請求項７】
前記統合コミュニケーションツールは、オンライン状態およびオフライン状態を少なくとも含むログイン状態を前記ユーザが設定できる第３のユーザインタフェースを含み、
前記ユーザがマルチログインした端末の統合コミュニケーションツールそれぞれのログイン状態が前記ユーザが最終設定したログイン状態に同期化されることを特徴とする請求項１に記載の統合コミュニケーションシステム。
【請求項８】
前記マルチログインした端末で動作する統合コミュニケーションツールそれぞれは、前記端末情報の露出の有無を前記ユーザが設定できる第４のユーザインタフェースをさらに含むことを特徴とする請求項１に記載の統合コミュニケーションシステム。
【請求項９】
統合コミュニケーションツールのユーザインタフェースのうち少なくとも１つを画面に表示する表示部と、
前記統合コミュニケーションツールのユーザインタフェースを介して入力されるデータを統合コミュニケーションシステムに送信し、前記統合コミュニケーションツールの動作のためのデータを前記統合コミュニケーションシステムから受信するデータ送受信部と、
前記受信されたデータを用いて前記統合コミュニケーションツールの動作を制御する制御部と、
を備え、
互いに異なる複数の端末で動作する統合コミュニケーションツールを介して同一のユーザがマルチログインする場合、
前記統合コミュニケーションツールは、第１のユーザインタフェースを含み、
前記データ送受信部は、前記ユーザがマルチログインした前記複数の端末の前記第１のユーザインタフェースに前記ユーザがマルチログインした前記複数の端末の端末情報を受信し、
前記ユーザによって、マルチログインした他の前記複数の端末のうちログアウトさせる端末を選択することが可能であり、
前記互いに異なる複数の端末のうち前記ユーザのマルチログイン情報と前記ユーザがマルチログインした端末で発生するユーザイベントとに基づいて前記統合コミュニケーションツールの動作のためのデータを受信すること
を特徴とする端末。
【請求項１０】
前記統合コミュニケーションツールは、ウェブブラウザ上でオーバーレイ形式で動作する環境、有線端末に設置されて動作する環境、および無線端末に設置されて動作する環境のうち２つ以上の環境で動作することを特徴とする請求項９に記載の端末。
【請求項１１】
前記統合コミュニケーションツールは、ウェブブラウザ上でオーバーレイ形式で動作し、前記ウェブブラウザを介して活性化された複数のインターネットウィンドウそれぞれに対して同一の第２のユーザインタフェースを提供することを特徴とする請求項９に記載の端末。
【請求項１２】
前記統合コミュニケーションツールで受信したデータによる動作が前記第２のユーザインタフェースに同一に発生することを特徴とする請求項１１に記載の端末。
【請求項１３】
ユーザに関連する少なくとも１つ以上のコミュニケーションサーバの統合コミュニケーションツールを提供し、
互いに異なる複数の端末で動作する統合コミュニケーションツールを介して同一のユーザがマルチログインする場合、前記ユーザのマルチログイン情報を管理し、
前記マルチログイン情報と前記ユーザがマルチログインした前記複数の端末で発生するユーザイベントとに基づいて前記ユーザに関連するデータを送信する少なくとも１つの端末を決定し、
前記決定された少なくとも１つの端末に前記データを送信すること、
を含み、
前記統合コミュニケーションツールは、ユーザインタフェースを含み、
前記統合コミュニケーションツールは、前記ユーザがマルチログインした前記複数の端末の前記ユーザインタフェースに前記ユーザがマルチログインした前記複数の端末の端末情報を送信し、
マルチログインした他の前記複数の端末のうち前記ユーザによって選択された端末をログアウトさせることが可能であることを特徴とするコンピュータによって実行される統合コミュニケーション方法。
【請求項１４】
統合コミュニケーションツールのユーザインタフェースのうち少なくとも１つを画面に表示し、
前記統合コミュニケーションツールのユーザインタフェースを介して入力されるデータを統合コミュニケーションシステムに送信し、前記統合コミュニケーションツールの動作のためのデータを前記統合コミュニケーションシステムから受信し、
前記受信されたデータを用いて前記統合コミュニケーションツールの動作を制御すること、
を含み、
互いに異なる複数の端末で動作する統合コミュニケーションツールを介して同一のユーザがマルチログインする場合、
前記統合コミュニケーションツールは、第１のユーザインタフェースを含み、
前記ユーザがマルチログインした前記複数の端末の前記第１のユーザインタフェースに前記ユーザがマルチログインした前記複数の端末の端末情報を受信し、
前記ユーザによって、マルチログインした他の前記複数の端末のうちログアウトさせる端末を選択することが可能であり、
前記受信することは、前記互いに異なる複数の端末のうち前記ユーザのマルチログイン情報と前記ユーザがマルチログインした端末で発生するユーザイベントとに基づいて決定された端末が前記統合コミュニケーションツールの動作のためのデータを受信することを特徴とする端末のコンピュータによって実行される統合コミュニケーション方法。
【請求項１５】
コンピュータ又は端末のコンピュータに請求項１３または請求項１４いずれか１項の方法を実行させるためのプログラムを記録した前記コンピュータで読み出し可能な記録媒体。
【発明の詳細な説明】
【技術分野】
【０００１】
本発明は、マルチログインを用いる統合コミュニケーションシステムおよび方法、そして統合コミュニケーションツールの動作を制御する端末および端末におけるコミュニケーション方法に関する。
【背景技術】
【０００２】
ポータルサイト（ｐｏｒｔａｌ  ｓｉｔｅ）は、情報検索サービスやコミュニティのようにユーザが定期的に利用することができるサービスを提供することによって、固定的に訪問客を確保してインターネットビジネスにつなげる。また、このようなポータルサイトのみならず、多くのサイトがメール、ブログ、カフェなどのように様々なコミュニティサイトを運用している。
【０００３】
しかし、ユーザはこのようなコミュニティサイトのサービスの提供を受けるためには直接各サービスサイトへ接続しなければならない。また、会員間において、様々なサービスから構成されるチャットなどはユーザ同士が互いに他の端末を利用する場合には接続することができず、チャットサービスなどを除いてはリアルタイムでチャットすることは難しい構造になっている。例えば、会員Ａがカフェに投稿物を掲載する場合、会員Ｂは該当カフェに接続しなければ会員Ａが掲載した投稿物を確認することができず、リアルタイムでチャットすることが難しい。他の例として、ＰＣのような有線端末を介して会員Ａと会員Ｂとがチャットする間に、会員Ａが外部に出て無線端末を介して会員Ｂと持続的にチャットしようとする場合、会員Ａは無線端末を介して再び会員Ｂまたは該当サイトに接続しなければならない。
【先行技術文献】
【特許文献】
【０００４】
【特許文献１】韓国公開特許第２００８−００９０２１３号公報
【０００５】
本明細書では、コミュニケーションサービスをより効果的に提供することができるシステムおよび方法を提供する。
【発明の概要】
【発明が解決しようとする課題】
【０００６】
本発明の目的は、ユーザに関連する少なくとも１つ以上のコミュニケーションサーバの統合コミュニケーションツールを提供することによって、ユーザが該当コミュニケーションサーバに直接接続しなくても、いつでもコミュニケーションサービスを提供することができる統合コミュニケーションシステムおよび方法を提供する。
【０００７】
本発明の目的は、互いに異なる端末で動作する統合コミュニケーションツールを介して同一のユーザがマルチログインする場合、ユーザのマルチログイン情報を管理してマルチログイン情報に基づいてデータを送信することによって、統合的なコミュニケーションサービスを提供することができる統合コミュニケーションシステムおよび方法を提供する。
【０００８】
本発明の目的は、ユーザが用いる端末の有線／無線の有無、統合コミュニケーションツールが端末に直接設けられるか否かなどに関わらず、統合的な通信サービスを提供することができる統合コミュニケーションシステムおよび方法を提供する。
【０００９】
本発明の目的は、マルチログインと統合的な通信サービスとが可能な統合コミュニケーションツールの動作を制御することができる端末およびコミュニケーション方法を提供する。
【課題を解決するための手段】
【００１０】
本発明の実施形態によると、ユーザに関連する少なくとも１つ以上のコミュニケーションサーバの統合コミュニケーションツールを提供する統合コミュニケーションツール提供部と、互いに異なる端末で動作する統合コミュニケーションツールを介して同一のユーザがマルチログインする場合、ユーザのマルチログイン情報を管理するマルチログイン管理部と、マルチログイン情報に基づいてユーザに関連するデータを送信する少なくとも１つの端末を決定する端末決定部と、決定された少なくとも１つの端末にデータを送信する通信部とを備える統合コミュニケーションシステムが提供される。
【００１１】
本発明の一実施形態によると、コミュニケーションツールは、コミュニケーションサーバを介して送信されるお知らせデータをユーザに提供する機能、ユーザから入力されるデータをコミュニケーションサーバに送信するための機能、およびコミュニケーションサーバを通したユーザと他のユーザとの間のリアルタイムのチャットをサポートする機能のうち少なくとも１つの機能を提供してもよい。
【００１２】
本発明の他の実施形態によると、統合コミュニケーションツールは、ウェブブラウザ上でオーバーレイ形式で動作する環境、有線端末に設置されて動作する環境、および無線端末に設置されて動作する環境のうち少なくとも２つ以上の環境で動作してもよい。
【００１３】
本発明の他の実施形態によると、端末決定部は、ユーザがマルチログインした端末で発生するユーザイベント、マルチログインするために利用された統合コミュニケーションツールの動作環境、および統合コミュニケーションツールの環境設定情報のうち少なくとも１つに基づいて少なくとも１つの端末を決定してもよい。
【００１４】
本発明の他の実施形態によると、端末決定部は、ユーザに関連するデータがお知らせデータである場合、マルチログイン情報に基づいてユーザがマルチログインした全ての端末を少なくとも１つの端末として決定してもよい。
【００１５】
本発明の他の実施形態によると、統合コミュニケーションツールは、ウェブブラウザ上でオーバーレイ形式で動作し、ウェブブラウザを介して活性化された複数のインターネットウィンドウそれぞれに対して同一のユーザインタフェースを提供してもよい。この場合、統合コミュニケーションツールで受信したデータによる動作がユーザインタフェースに同一に発生してもよい。
【００１６】
本発明の他の実施形態によると、統合コミュニケーションツールは、ユーザがログインする場合、ユーザがマルチログインした他の端末の統合コミュニケーションツールでログインを維持するか否かをユーザが設定できるユーザインタフェースを含んでもよい。
【００１７】
本発明の他の実施形態によると、統合コミュニケーションツールは、オンライン状態およびオフライン状態を少なくとも含むログイン状態をユーザが設定できるユーザインタフェースを含んでもよく、ユーザがマルチログインした端末の統合コミュニケーションツールそれぞれのログイン状態がユーザが最終設定したログイン状態に同期化されてもよい。
【００１８】
本発明の他の実施形態によると、通信部は、ユーザがマルチログインした端末それぞれにマルチログインした端末に対する端末情報を送信し、マルチログインした端末で動作する統合コミュニケーションツールそれぞれは、端末情報をユーザに露出するためのユーザインタフェースを含んでもよい。
【００１９】
本発明の他の実施形態によると、マルチログインした端末で動作する統合コミュニケーションツールそれぞれは、端末情報の露出の有無をユーザが設定できるユーザインタフェースをさらに含んでもよい。
【００２０】
本発明の一実施形態によると、統合コミュニケーションツールのユーザインタフェースのうち少なくとも１つを画面に表示する表示部と、統合コミュニケーションツールのユーザインタフェースを介して入力されるデータを統合コミュニケーションシステムに送信し、統合コミュニケーションツールの動作のためのデータを統合コミュニケーションシステムから受信するデータ送受信部と、受信されたデータを用いて統合コミュニケーションツールの動作を制御する制御部とを備え、互いに異なる端末で動作する統合コミュニケーションツールを介して同一のユーザがマルチログインする場合、互いに異なる端末のうちユーザのマルチログイン情報に基づいて決定された端末に統合コミュニケーションツールの動作のためのデータを送信する端末が提供される。
【００２１】
本発明の一実施形態は、ユーザに関連する少なくとも１つ以上のコミュニケーションサーバの統合コミュニケーションツールを提供し、互いに異なる端末で動作する統合コミュニケーションツールを介して同一のユーザがマルチログインする場合、ユーザのマルチログイン情報を管理し、マルチログイン情報に基づいてユーザに関連するデータを送信する少なくとも１つの端末を決定し、決定された少なくとも１つの端末にデータを送信することを含む統合コミュニケーション方法が提供される。
【００２２】
本発明の一実施形態によると、統合コミュニケーションツールのユーザインタフェースのうち少なくとも１つを画面に表示し、統合コミュニケーションツールのユーザインタフェースを介して入力されるデータを統合コミュニケーションシステムに送信し、統合コミュニケーションツールの動作のためのデータを統合コミュニケーションシステムから受信し、受信されたデータを用いて統合コミュニケーションツールの動作を制御することを含み、互いに異なる端末で動作する統合コミュニケーションツールを介して同一のユーザがマルチログインする場合、互いに異なる端末のうちユーザのマルチログイン情報に基づいて決定された端末に統合コミュニケーションツールの動作のためのデータを送信する統合コミュニケーション方法が提供される。
【発明の効果】
【００２３】
本発明によると、ユーザに関連する少なくとも１つ以上のコミュニケーションサーバの統合コミュニケーションツールを提供することによって、ユーザが該当コミュニケーションサーバに直接接続しなくても、いつでもコミュニケーションサービスを提供することができる。
【００２４】
本発明によると、互いに異なる端末で動作する統合コミュニケーションツールを介して同一のユーザがマルチログインする場合、ユーザのマルチログイン情報を管理してマルチログイン情報に基づいてデータを送信することによって、統合的なコミュニケーションサービスを提供することができる。
【００２５】
本発明によると、ユーザが用いる端末の有線／無線の有無、統合コミュニケーションツールが端末に設けられるか否かなどに関わらず、統合的な通信サービスを提供することができる。
【００２６】
本発明によると、マルチログインと統合的な通信サービスとが可能な統合コミュニケーションツールの動作を制御することができる。
【図面の簡単な説明】
【００２７】
【図１】本発明の一実施形態に係る統合コミュニケーションシステムおよび複数の端末を示す図である。
【図２】本発明の一実施形態に係る統合コミュニケーションシステムの内部構成を説明するためのブロック図である。
【図３】本発明の一実施形態に係るログインのためのユーザインタフェースの一例を示す図である。
【図４】本発明の一実施形態に係るマルチログイン状態の端末に関する情報を提供するためのユーザインタフェースの一例を示す図である。
【図５】本発明の一実施形態に係る環境設定のためのユーザインタフェースの一例を示す図である。
【図６】本発明の一実施形態に係る統合コミュニケーション方法を示すフローチャートである。
【図７】本発明の一実施形態に係る端末の内部構成を説明するためのブロック図である。
【図８】本発明の一実施形態に係るウェブブラウザを介して活性化した複数のインターネットウィンドウ及び統合コミュニケーションツールのユーザインタフェースを示す図である。
【図９】本発明の一実施形態に係るウェブ文書に関連する投稿物をコミュニティに掲載するためのユーザインタフェースを示す図である。
【図１０】本発明の一実施形態に係るウェブ文書に関連する他のユーザに関する情報を提供するためのユーザインタフェースを示す図である。
【図１１】本発明の一実施形態に係るコミュニティの投稿物にコメントを書き込むためのユーザインタフェースを示す図である。
【図１２】本発明の一実施形態に係るユーザに関連する他のユーザの情報を提供するためのユーザインタフェースを示す図である。
【図１３】本発明の一実施形態に係る他のユーザとチャットするためのユーザインタフェースを示す図である。
【図１４】本発明の一実施形態に係る互いに異なる２つの有線端末それぞれの画面を示す図である。
【図１５】本発明の一実施形態に係る無線端末の画面を示す図である。
【図１６】本発明の一実施形態に係るコミュニケーション方法を示すフローチャートである。
【発明を実施するための形態】
【００２８】
以下、本発明の実施形態を添付する図面を参照しながら詳細に説明する。
【００２９】
図１は、本発明の一実施形態に係る統合コミュニケーションシステムおよび複数の端末を示す図である。図１は、統合コミュニケーションシステム１１０、複数の端末１２０、および統合コミュニケーションツール１３０を示している。このとき、統合コミュニケーションシステム１１０は、ユーザが該当コミュニティサイト（または、コミュニケーションサーバ）に直接接続しなくても、統合コミュニケーションツール１３０を介してコミュニティ活動が可能である。
【００３０】
統合コミュニケーションツール１３０は、ウェブブラウザ上でオーバーレイ（ｏｖｅｒｌａｙ）形式で動作する環境、有線端末に設置されて動作する環境、および無線端末に設置されて動作する環境のうち少なくとも２つ以上の環境で動作してもよい。一例とし、統合コミュニケーションツール１３０がウェブブラウザ上でオーバーレイ形式で動作する場合、インターネットやイントラネットを介してウェブブラウザで利用できる応用ソフトウェアの形態で統合コミュニケーションツール１３０が提供されてもよい。このような応用ソフトウェアは、端末に設けられる必要がなく、ウェブブラウザ上でオーバーレイ形式で動作されてもよい。また、統合コミュニケーションツール１３０は、有線端末または無線端末に設けられる応用ソフトウェアの形態で提供されてもよい。
【００３１】
このような統合コミュニケーションシステム１１０は、複数の端末１２０に、いつでもどこででもコミュニティサイトのサービスを提供することができる。このため、統合コミュニケーションシステム１１０は、ユーザのマルチログインを許容し、マルチログイン情報を管理して、複数の端末１２０のいずれの端末を介してもコミュニティに関連する情報をユーザに提供し、また自己の情報をアップロードしてもよい。
【００３２】
また、マルチログインによって、複数の端末についても統合的にこのようなコミュニケーション機能を提供することができる。例えば、ユーザＡが家でＰＣのような有線端末に設置された統合コミュニケーションツール１３０を介してユーザＢとリアルタイムにチャットする間に外部に出て行かなければならない状況が発生する場合、ユーザＡは無線端末に設置された統合コミュニケーションツール１３０を介してマルチログインすることで、ユーザＢとのチャットを中断することなく続けることができる。もし、マルチログインを提供しなければ、無線端末に設置された統合コミュニケーションツールを介してログインする瞬間、有線端末ではログアウトされるためユーザＢとのチャットは中断され、ユーザＡはユーザＢと再び接続しなければならず、今までやり取りしたチャットは別途格納しない限り消去されてしまう。
【００３３】
それだけではなく、統合コミュニケーションツール１３０は、コミュニケーションサーバを介して送信されるお知らせデータをユーザに提供する機能、ユーザから入力されるデータをコミュニケーションサーバに送信するための機能、およびコミュニケーションサーバを通したユーザと他のユーザとの間のリアルタイムのチャットをサポートする機能のうち少なくとも１つの機能を提供してもよい。すなわち、カフェやブログなどのコミュニティサイトを介してはリアルタイムのチャットが困難であるが、統合コミュニケーションシステム１１０は、このようなカフェやブログなどのような各種のコミュニティサイトにおけるお知らせメッセージ、新規投稿物お知らせなどのお知らせデータをユーザがログイン（またはマルチログイン）した統合コミュニケーションツール１３０を用いて該当端末に提供する。ユーザに関連する最新情報などを早く知らせることによって、統合コミュニケーションツール１３０を介してログインしたユーザ間のチャットのようなリアルタイムのチャットを可能にする。このとき、ユーザがマルチログインした場合には、マルチログインした端末全てにお知らせデータを提供することによって、ユーザがより早くお知らせデータを提供されるようにしてもよい。
【００３４】
次は、このような統合コミュニケーションシステム１１０、統合コミュニケーションツール１３０、そして統合コミュニケーションツール１３０が動作する複数の端末１２０について具体的に説明する。
【００３５】
図２は、本発明の一実施形態に係る統合コミュニケーションシステムの内部構成を説明するためのブロック図である。本実施形態に係る統合コミュニケーションシステム２００は、図２に示すように、統合コミュニケーションツール提供部２１０、マルチログイン管理部２２０、端末決定部２３０、および通信部２４０を備える。
【００３６】
統合コミュニケーションツール提供部２１０は、ユーザに関連する少なくとも１つ以上のコミュニケーションサーバの統合コミュニケーションツールを提供する。ここで、コミュニケーションサーバは、ユーザが加入したコミュニティサイトを提供するサーバを意味する。このとき、統合コミュニケーションツールは、コミュニケーションサーバを介して送信されるお知らせデータをユーザに提供する機能、ユーザから入力されるデータをコミュニケーションサーバに送信するための機能、およびコミュニケーションサーバを通したユーザと他のユーザとの間のリアルタイムのチャットをサポートする機能のうち少なくとも１つの機能を提供してもよい。すなわち、ユーザは、統合コミュニケーションツールを通したログインによって、直接コミュニティサイト（または、コミュニケーションサーバ）に接続しなくても、コミュニティサイトから提供されるサービスの提供を受けるようになる。それだけではなく、ユーザがブログ、メール、カフェ、ミニホームページなどのように複数のコミュニティサイト（または複数のコミュニケーションサーバ）に加入した場合でも、ユーザが複数のコミュニティサイトそれぞれを訪問しなくても、統合コミュニケーションツールを介して新規投稿物に対するお知らせデータを受信したり、複数のコミュニティサイトのうち特定コミュニティサイトの他のユーザ（例えば、ブログ類似ユーザ）とリアルタイムでチャットをすることが可能になる
【００３７】
このとき、ユーザは、統合コミュニケーションツールを用いてユーザの個人ウェブページに投稿物を掲載したり、あるいはメールを送信してもよい。また、ユーザは、他のユーザが投稿物を掲載した際、ユーザを受信人とするメール到着のお知らせメッセージを個人ウェブページに受信してもよい。また、ユーザが現在見ているウェブページのＵＲＬやウェブページの内容の全てまたは一部を統合コミュニケーションツールを用いて自己の個人ウェブページに掲載したり、他のユーザに伝達してもよい。
【００３８】
マルチログイン管理部２２０は、互いに異なる端末で動作する統合コミュニケーションツールを介して同一のユーザがマルチログインする場合、ユーザのマルチログイン情報を管理する。例えば、マルチログイン管理部２２０は、ユーザごとに該当ユーザがマルチログインした統合コミュニケーションツールがいずれの端末で動作するかに関する情報を格納および管理してもよい。
【００３９】
このとき、統合コミュニケーションツールは、ウェブブラウザ上でオーバーレイ形式で動作する環境、有線端末に設置されて動作する環境、および無線端末に設置されて動作する環境のうち少なくとも２つ以上の環境で動作してもよい。
【００４０】
端末決定部２３０は、マルチログイン情報に基づいてユーザに関連するデータを送信する少なくとも１つの端末を決定する。
【００４１】
このとき、端末決定部２３０は、一実施形態において、ユーザがマルチログインした端末で発生するユーザイベント、マルチログインするために利用された統合コミュニケーションツールの動作環境、および統合コミュニケーションツールの環境設定情報のうち少なくとも１つに基づいて少なくとも１つの端末を決定してもよい。
【００４２】
例えば、端末決定部２３０は、マルチログイン情報による全ての端末のうち最後にユーザイベントが発生した端末をユーザに関連するデータを送信する端末として決定してもよい。
【００４３】
他の例として、端末決定部２３０は、動作する統合コミュニケーションツールの動作環境に応じて互いに異なる方式で端末を選択してもよい。すなわち、ウェブブラウザ上でオーバーレイ形式で動作する環境では、全ての端末にユーザに関連するデータが送信されるよう端末を決定する一方、有線端末に設置されて動作する環境および無線端末に設置されて動作する環境では、最後にユーザイベントが発生した端末にのみユーザに関連するデータが送信されるよう端末を決定してもよい。
【００４４】
他の例として、ユーザが統合コミュニケーションツールの環境設定を介して該当統合コミュニケーションツールで受信しようとするデータの種類を予め設定してもよい。この場合、端末決定部２３０は、このような環境設定情報を通してもユーザに関連するデータを送信するための端末を決定してもよい。
【００４５】
また、端末決定部２３０は、他の実施形態において、ユーザに関連するデータがお知らせデータである場合、マルチログイン情報に基づいて、ユーザがマルチログインした全ての端末にお知らせデータが送信されるように端末を決定してもよい。すなわち、ユーザに新規投稿物登録、友人接続などを知らせるためのお知らせデータは、ユーザがマルチログインした全ての端末に送信されてもよい。
【００４６】
このような実施形態において、マルチログイン管理部２２０は、マルチログイン情報として最後にユーザイベントが発生した端末に関する情報、各統合コミュニケーションツールの動作環境、そして各統合コミュニケーションツールそれぞれの環境設定情報などをさらに格納して管理してもよい。
【００４７】
通信部２４０は、決定された少なくとも１つの端末にデータを送信する。すなわち、マルチログイン管理部２２０でマルチログイン情報を管理し、端末決定部２３０でユーザに関連するデータを送信するための端末を決定すると、通信部２４０は、ユーザに関連するデータを決定された端末に送信することで、ユーザにコミュニティに関連する最新情報を早く提供することができる。
【００４８】
このとき、統合コミュニケーションツールがウェブブラウザ上でオーバーレイ形式で動作する環境で動作する場合、統合コミュニケーションツールは、ウェブブラウザを介して活性化した複数のインターネットウィンドウそれぞれに対して同一のユーザインタフェースを提供してもよい。この場合、統合コミュニケーションツールで受信したデータによる動作が複数のユーザインタフェースに同一に発生してもよい。すなわち、ユーザが複数のインターネットウィンドウをオープンしていても、各インターネットウィンドウごとに同一のユーザインタフェースが提供され、受信したデータによる同一の動作が発生する。そのため、ユーザは、いずれのインターネットウィンドウを介してでも新規投稿物登録、友人接続などのお知らせを確認することができる。
【００４９】
また、統合コミュニケーションツールは、ユーザがログインする場合、ユーザがマルチログインした他の端末の統合コミュニケーションツールでログインを維持するか否かをユーザが設定できるユーザインタフェースを含んでもよい。
【００５０】
これに加えて、統合コミュニケーションツールは、オンライン状態およびオフライン状態を少なくとも含むログイン状態をユーザが設定できるユーザインタフェースを含んでもよい。この場合、ユーザがマルチログインした端末の統合コミュニケーションツールそれぞれのログイン状態がユーザが最終設定したログイン状態に同期化されてもよい。
【００５１】
このとき、通信部２４０は、ユーザがマルチログインした端末それぞれにマルチログインした端末に対する端末情報を送信してもよい。ここで、端末情報は、各端末の識別子情報を少なくとも含んでもよい。この場合、マルチログインした端末で動作する統合コミュニケーションツールそれぞれは、端末情報をユーザに露出するためのユーザインタフェースを含んでもよい。すなわち、提供される統合コミュニケーションツールごとにいかなる端末を介してでもマルチログインされているかをユーザに知らせるための機能を提供してもよい。また、マルチログインした端末で動作する統合コミュニケーションツールそれぞれは、端末情報の露出の有無をユーザが設定できるユーザインタフェースをさらに含んでもよい。
【００５２】
図３は、本発明の一実施形態に係るログインのためのユーザインタフェースの一例を示す図である。ユーザインタフェース３００は、ユーザのＩＤ及びパスワードの入力を受けてユーザを認証するための機能、ユーザのログイン状態を決定するための機能、様々な設定の有無を決定するための機能を示している。ここで、点線で示したボックス３１０は、ログインの時に他の端末の統合コミュニケーションツールからログアウトするか否かを決定するための機能を示している。すなわち、ユーザが該当機能をチェックしてログインする場合、他の端末の統合コミュニケーションツールではログアウトされる。
【００５３】
しかし、必要に応じて、該当機能が有線端末に設置されて動作する環境の統合コミュニケーションツールにのみ提供されて、ユーザが有線端末に設置されて動作する環境の統合コミュニケーションツールを介して該当機能をチェックしてログインする場合、マルチログインされた他の有線端末に設置されて動作する環境の統合コミュニケーションツールのみがログアウトされるように設定してもよい。これは無線端末に設置されて動作する環境の統合コミュニケーションツール、またはウェブブラウザ上でオーバーレイ形式で動作する環境の統合コミュニケーションツールにも同様に設定されてもよい。
【００５４】
図４は、本発明の一実施形態に係るマルチログイン状態の端末に関する情報を提供するためのユーザインタフェースの一例を示す図である。ユーザインタフェース４００は、ユーザがマルチログインした端末に対する端末情報を示した一例である。すなわち、ユーザインタフェース４００は、現在の端末の識別子、そしてマルチログインされた他の端末の識別子を示している。
【００５５】
ここで、点線で示したボックス４１０は、現在の端末でマルチログインされた他の端末をログアウトさせることができる機能を示す。このとき、マルチログインされた他の端末を一回で全てログアウトさせてもよく、個別にログアウトさせてもよい。また、点線で示したボックス４２０は、このような端末情報の露出の有無をユーザが決定できる機能を示す。
【００５６】
このとき、このような端末情報は全ての端末に対して表示されてもよく、有線端末と無線端末とを区分して表示したり、有線端末では有線端末のみを表示したり、無線端末では無線端末のみを表示することも可能である。
【００５７】
図５は、本発明の一実施形態に係る環境設定のためのユーザインタフェースの一例を示す図である。ユーザインタフェース５００は、統合コミュニケーションツールの環境を設定するための各種の機能を示している。図５に示すユーザインタフェース５００は、特に有線端末に設置されて動作する環境の統合コミュニケーションツールで用いられる機能を中心に構成されている。また、点線で示されたボックス５１０は、該当統合コミュニケーションツールでログインする際に他の統合コミュニケーションツールでログアウトするかをユーザが設定するための機能、マルチログインのときにマルチログインされた端末に対する端末情報を表示するかについてユーザが設定するための機能、マルチログインされた端末を直ちに確認するための機能などを示している。このとき、図５は、有線端末についてのみ該当機能などが動作するように設定される統合コミュニケーションツールのユーザインタフェース５００の一例を示している。
【００５８】
図６は、本発明の一実施形態に係る統合コミュニケーション方法を示すフローチャートである。本実施形態に係る統合コミュニケーション方法は、図２を参照して説明した統合コミュニケーションシステム２００によって行われてもよい。図６では、統合コミュニケーションシステム２００で各ステップで行う過程を説明することにより統合コミュニケーション方法について説明する。
【００５９】
ステップＳ６１０において、統合コミュニケーションシステム２００は、ユーザに関連する少なくとも１つ以上のコミュニケーションサーバの統合コミュニケーションツールを提供する。ここで、コミュニケーションサーバは、ユーザが加入したコミュニティサイトを提供するサーバを意味する。このとき、統合コミュニケーションツールは、コミュニケーションサーバを介して送信されるお知らせデータをユーザに提供する機能、ユーザから入力されるデータをコミュニケーションサーバに送信するための機能、およびコミュニケーションサーバを通したユーザと他のユーザとの間のリアルタイムのチャットをサポートする機能のうち少なくとも１つの機能を提供してもよい。すなわち、ユーザは、統合コミュニケーションツールを通したログインによって、直接コミュニティサイト（または、コミュニケーションサーバ）に接続しなくても、コミュニティサイトから提供されるサービスの提供を受けるようになる。それだけではなく、ユーザがブログ、メール、カフェ、ミニホームページなどのように複数のコミュニティサイト（または、複数のコミュニケーションサーバ）に加入した場合でも、複数のコミュニティサイトそれぞれを訪問しなくても、統合コミュニケーションツールを介して新規投稿物に対するお知らせデータを受信したり、複数のコミュニティサイトのうちの特定コミュニティサイトの他のユーザ（例えば、ブログ類似ユーザ）とのリアルタイムでチャットをすることが可能になる。
【００６０】
このとき、ユーザは、統合コミュニケーションツールを用いて、ユーザの個人ウェブページに投稿物を掲載したり、あるいはメールを送信してもよい。また、ユーザは、他のユーザが投稿物を掲載した際に、ユーザを受信人とするメール到着のお知らせメッセージを個人ウェブページに受けてもよい。また、ユーザが現在見ているウェブページのＵＲＬやウェブページの内容の全てまたは一部を統合コミュニケーションツールを用いて自己の個人ウェブページに掲載したり他のユーザに伝達してもよい。
【００６１】
ステップＳ６２０において、統合コミュニケーションシステム２００は、互いに異なる端末で動作する統合コミュニケーションツールを介して同一のユーザがマルチログインする場合、ユーザのマルチログイン情報を管理する。例えば、統合コミュニケーションシステム２００は、ユーザごとに該当ユーザがマルチログインした統合コミュニケーションツールがいずれの端末で動作するかに関する情報を格納および管理してもよい。
【００６２】
このとき、統合コミュニケーションツールは、ウェブブラウザ上でオーバーレイ形式で動作する環境、有線端末に設置されて動作する環境、および無線端末に設置されて動作する環境のうち少なくとも２つ以上の環境で動作してもよい。
【００６３】
ステップＳ６３０において、統合コミュニケーションシステム２００は、マルチログイン情報に基づいてユーザに関連するデータを送信する少なくとも１つの端末を決定する。
【００６４】
このとき、統合コミュニケーションシステム２００の一実施形態において、ユーザがマルチログインした端末で発生するユーザイベント、マルチログインするために利用された統合コミュニケーションツールの動作環境、および統合コミュニケーションツールの環境設定情報のうち少なくとも１つに基づいて少なくとも１つの端末を決定してもよい。
【００６５】
例えば、統合コミュニケーションシステム２００は、マルチログイン情報に基づいて全ての端末のうち最後にユーザイベントが発生した端末をユーザに関連するデータを送信する端末として決定してもよい。
【００６６】
他の例として、統合コミュニケーションシステム２００は、動作する統合コミュニケーションツールの動作環境に応じて互いに異なる方式で端末を選択してもよい。すなわち、ウェブブラウザ上でオーバーレイ形式で動作する環境では、全ての端末にユーザに関連するデータが送信されるよう端末を決定する一方、有線端末に設置されて動作する環境および無線端末に設置されて動作する環境では、最後にユーザイベントが発生した端末にのみユーザに関連するデータを送信されるように端末を決定してもよい。
【００６７】
他の例として、ユーザが統合コミュニケーションツールの環境設定を介して該当統合コミュニケーションツールで受信しようとするデータの種類を予め設定してもよい。この場合、統合コミュニケーションシステム２００の環境設定情報を通してユーザに関連するデータを送信するための端末を決定してもよい。
【００６８】
また、統合コミュニケーションシステム２００は、他の実施形態において、ユーザに関連するデータがお知らせデータである場合、マルチログイン情報に基づいてユーザがマルチログインした全ての端末にお知らせデータが送信されるように端末を決定してもよい。すなわち、ユーザに新規投稿物登録、友人接続などを知らせるためのお知らせデータは、ユーザがマルチログインした全ての端末に送信されてもよい。
【００６９】
このような実施形態のために、統合コミュニケーションシステム２００は、マルチログイン情報として最後にユーザイベントが発生した端末に関する情報、各統合コミュニケーションツールの動作環境、そして各統合コミュニケーションツールそれぞれの環境設定情報などをさらに格納して管理してもよい。
【００７０】
ステップＳ６４０において、統合コミュニケーションシステム２００は、決定された少なくとも１つの端末にデータを送信する。すなわち、統合コミュニケーションシステム２００は、ステップＳ６２０でマルチログイン情報を管理し、ステップＳ６３０でユーザに関連するデータを送信するための端末を決定すると、ステップＳ６４０でユーザに関連するデータを決定された端末に送信することによって、ユーザにコミュニティに関連する最新情報をより早く提供することができる。
【００７１】
このとき、統合コミュニケーションツールがウェブブラウザ上でオーバーレイ形式で動作する環境で動作する場合、統合コミュニケーションツールは、ウェブブラウザを介して活性化した複数のインターネットウィンドウそれぞれに対して同一のユーザインタフェースを提供してもよい。この場合、統合コミュニケーションツールで受信したデータによる動作が複数のユーザインタフェースに同一に発生してもよい。すなわち、ユーザが複数のインターネットウィンドウをオープンしていても、各インターネットウィンドウごとに同一のユーザインタフェースが提供され、受信したデータによる同一の動作が発生するため、ユーザはいずれのインターネットウィンドウを介してでも新規投稿物登録、友人接続などのお知らせを確認することができる。
【００７２】
また、統合コミュニケーションツールは、ユーザがログインする場合、ユーザがマルチログインした他の端末の統合コミュニケーションツールでログインを維持するか否かをユーザが設定できるユーザインタフェースを含んでもよい。
【００７３】
これに加えて、統合コミュニケーションツールは、オンライン状態およびオフライン状態を少なくとも含むログイン状態をユーザが設定できるユーザインタフェースを含んでもよい。この場合、ユーザがマルチログインした端末の統合コミュニケーションツールそれぞれのログイン状態がユーザが最終設定したログイン状態に同期化されてもよい。
【００７４】
このとき、統合コミュニケーションシステム２００は、ユーザがマルチログインした端末それぞれにマルチログインした端末に対する端末情報を送信してもよい。ここで、端末情報は各端末の識別子情報を少なくとも含んでもよい。この場合、マルチログインした端末で動作する統合コミュニケーションツールそれぞれは、端末情報をユーザに露出するためのユーザインタフェースを含んでもよい。すなわち、提供される統合コミュニケーションツールごとにいかなる端末を介してでもマルチログインされているかをユーザに知らせるための機能が提供されてもよい。また、マルチログインした端末で動作する統合コミュニケーションツールそれぞれは、端末情報の露出の有無をユーザが設定できるユーザインタフェースをさらに含んでもよい。
【００７５】
図７は、本発明の一実施形態に係る端末の内部構成を説明するためのブロック図である。本実施形態に係る端末７００は、前述した統合コミュニケーションツールが動作する端末に対応してもよい。このような、端末７００は、図７に示すように表示部７１０、データ送受信部７２０、および制御部７３０を備えてもよい。
【００７６】
表示部７１０は、統合コミュニケーションツールのユーザインタフェースのうち少なくとも１つを画面に表示する。ここで、統合コミュニケーションツールは、ウェブブラウザ上でオーバーレイ形式で動作する環境、有線端末に設置されて動作する環境、および無線端末に設置されて動作する環境のうち２つ以上の環境で動作してもよい。
【００７７】
このとき、表示部７１０は、端末７００がウェブブラウザ上でオーバーレイ形式で動作する環境の統合コミュニケーションツールを用いる場合、ウェブブラウザを介して活性化したインターネットウィンドウを画面に表示すると同時に統合コミュニケーションツールのユーザインタフェースを画面に表示してもよい。また、ウェブブラウザを介して複数のインターネットウィンドウが活性化される場合、統合コミュニケーションツールは、活性化した複数のインターネットウィンドウそれぞれに対して同一のユーザインタフェースを提供してもよい。
【００７８】
また、表示部７１０は、端末７００が有線端末に設置されて動作する環境、または無線端末に設置されて動作する環境の統合コミュニケーションツールを用いる場合には、直接統合コミュニケーションツールのユーザインタフェースを画面に表示してもよい。
【００７９】
データ送受信部７２０は、統合コミュニケーションツールのユーザインタフェースを介して入力されるデータを統合コミュニケーションシステム２００に送信し、統合コミュニケーションツールの動作のためのデータを統合コミュニケーションシステム２００から受信する。
【００８０】
このとき、端末７００で動作する統合コミュニケーションツールを介してログインしたユーザが少なくとも１つの他の端末で統合コミュニケーションツールを介してマルチログインした場合、ユーザのマルチログイン情報に基づいて統合コミュニケーションツールの動作のためのデータが送信される端末が決定される。すなわち、上述したように、マルチログイン情報は、統合コミュニケーションシステム２００で管理されてもよく、ユーザがマルチログインした場合、統合コミュニケーションシステム２００は、統合コミュニケーションツールの動作のためのデータを送信するための端末をユーザのマルチログイン情報に基づいて決定してもよい。
【００８１】
例えば、統合コミュニケーションツールの動作のためのデータが送信される端末は、ユーザがマルチログインした端末で発生するイベント、マルチログインするために利用された統合コミュニケーションツールの動作環境、および統合コミュニケーションツールの環境設定のうち少なくとも１つをさらに用いて決定されてもよい。データを送信するための端末を決定する方法については図２から図６を参照して既に詳しく説明したため、重複する説明は省略する。
【００８２】
制御部７３０は、受信されたデータを用いて統合コミュニケーションツールの動作を制御する。例えば、受信されたデータがお知らせデータである場合、制御部７３０は、表示部７１０によって統合コミュニケーションツールの該当するユーザインタフェースが画面に表示されるように制御してもよい。
【００８３】
図８は、本発明の一実施形態に係るウェブブラウザを介して活性化した複数のインターネットウィンドウ及び統合コミュニケーションツールのユーザインタフェースを示す図である。図８は、ウェブブラウザを介して活性化した４個のインターネットウィンドウ８１０〜８４０、４個のインターネットウィンドウ８１０〜８４０のそれぞれで動作する統合コミュニケーションツールのユーザインタフェース８５０〜８８０を示している。このとき、ユーザインタフェース８５０〜８８０それぞれにおいて、ユーザに発生するデータは全て同一に動作してもよい。
【００８４】
また、図８では、１つの端末で活性化したインターネットウィンドウのみを示しているが、複数の端末でユーザが統合コミュニケーションツールを介してマルチログインする場合、複数の端末で活性化する全てのインターネットウィンドウに全て同一に動作する統合コミュニケーションツールのユーザインタフェースを提供してもよい。
【００８５】
図９乃至図１３は、統合コミュニケーションツールで提供可能なユーザインタフェースの一例を示している。しかし、このようなユーザインタフェースは本発明を説明するための例示として提供されたものであり、これに限定されない。
【００８６】
図９は、本発明の一実施形態に係るウェブ文書に関連する投稿物をコミュニティに掲載するためのユーザインタフェースを示す図である。図９は、ウェブブラウザを介して活性化したインターネットウィンドウ９００を示している。このとき、統合コミュニケーションツールは、インターネットウィンドウ９００にオーバーレイ形式で動作してもよい。例えば、図９には、コミュニティ９１０、コミュニティ新規投稿物９２０、接続の友人９３０、および環境設定９４０と命名されたユーザインタフェースを示している。コミュニティ９１０と命名されたユーザインタフェースは、図９に示すように、現在のインターネットウィンドウ９００を介してユーザに提供されるウェブ文書に関連する投稿物をコミュニティに掲載するための機能を含んでもよい。すなわち、ユーザは、該当するコミュニティサイトに接続しなくても、統合コミュニケーションツールを介して現在ウェブ文書に関連する投稿物を迅速かつ手軽にコミュニティサイトに掲載することができる。
【００８７】
他の例として、コミュニティ９１０と命名されたユーザインタフェースは、現在ウェブ文書に対するユーザの共感と関心の有無とを設定するための機能を含んでもよい。
【００８８】
図１０は、本発明の一実施形態に係るウェブ文書に関連する他のユーザに関する情報を提供するためのユーザインタフェースを示す図である。図１０は、現在ウェブ文書に関連する投稿物を掲載したり、現在ウェブ文書に対して共感及び／又は関心があることを設定した友人に関する情報がユーザに提供されることを示す。このような機能もコミュニティ９１０と命名されたユーザインタフェースを介して提供されてもよい。
【００８９】
図１１は、本発明の一実施形態に係るコミュニティの投稿物にコメントを書き込むためのユーザインタフェースを示す図である。インターネットウィンドウ９００に示されるユーザインタフェースのうちコミュニティ新規投稿物９２０と命名されたユーザインタフェースは、友人や類似ユーザと登録された他のユーザがコミュニティサイトに新規投稿物を掲載した場合、新規投稿物が掲載されたことを知らせる機能を含んでもよい。また、コミュニティ新規投稿物９２０と命名されたユーザインタフェースは、図１１に示すように、掲載された新規投稿物にコメントを書き込むための機能をさらに提供してもよい。このような機能によって、ユーザはコミュニティサイトに接続しなくても、コミュニティの最新情報に接することが可能になり、新しい最新情報に対してコメントのような自己の意見を掲載してもよい。
【００９０】
図１２は、本発明の一実施形態に係るユーザに関連する他のユーザの情報を提供するためのユーザインタフェースを示す図である。インターネットウィンドウ９００に示されたユーザインタフェースのうち接続の友人９３０と命名されたユーザインタフェースは、図１２に示すように、現在の接続中の友人や類似ユーザに関する情報を提供する機能を含んでもよい。このとき、ユーザは、現在の接続中の友人や類似ユーザにメール／メッセージのようなメッセージを送信したり、或いは、現在の接続中の友人や類似ユーザとリアルタイムでチャットを行なってもよい。
【００９１】
図１３は、本発明の一実施形態に係る他のユーザとチャットするためのユーザインタフェースを示す図である。図１３は、接続した友人の１人とチャットする例を示している。
【００９２】
新規投稿物が登録されたことを知らせたり、友人や類似ユーザからメール／メッセージのようなメッセージが到着したことを知らせたり、友人や類似ユーザからのチャットリクエストを知らせるためのお知らせデータは、すでに説明した通り、ユーザがマルチログインした全ての端末に送信されてもよい。この場合、ユーザはより早く便利にコミュニティに関連する最新情報を取得でき、接続した他のユーザと直ちにリアルタイムのチャットが可能である。例えば、ユーザは無線端末を介して新規投稿物が掲載されたことを確認し、無線端末を介して新規投稿物を掲載した他のユーザにメッセージを送信したり、またはマルチログインされた有線端末を介して新規投稿物を掲載した他のユーザとチャットを行ってもよい。もちろん、接続した他のユーザとチャットしてもよい。
【００９３】
図９乃至図１３では、ウェブブラウザ上でオーバーレイ形式で動作する環境の統合コミュニケーションツールで用いらるユーザインタフェースの例について説明したが、このようなユーザインタフェースは、有線端末に設置されて動作する環境、または無線端末に設置されて動作する環境の統合コミュニケーションツールにも同様に用いられてもよい。
【００９４】
図１４は、本発明の一実施形態に係る互いに異なる２つの有線端末それぞれの画面を示す図である。すなわち、図１４は、１つの端末の第１画面１４１０および他の１つの端末の第２画面１４２０の概括的な形状を示している。このとき、第１画面１４１０および第２画面１４２０には、それぞれ有線端末に設置されて動作する環境の統合コミュニケーションツールから提供されるユーザインタフェース１４１１および１４２１が提供される。このとき、ユーザインタフェース１４１１および１４２１は、図９乃至図１３を参照して説明したものと類似の機能をユーザに提供してもよい。
【００９５】
図１５は、本発明の一実施形態に係る無線端末の画面を示す図である。早い書き込み１５１０と命名されたユーザインタフェースは、コミュニティサイトの特定領域に掲示された投稿物や文書を正しく読み出し、コミュニティサイトの特定領域にユーザが掲示しようとする投稿物や文書を直ちに書き込むための機能を提供してもよい。コムキャスト１５２０と命名されたユーザインタフェースは、新規登録された投稿物やチャットリクエストなどのお知らせ情報をユーザに提供し、新規登録された投稿物にコメントを書き込んだり、チャットリクエストに応じてチャットを行うための機能を提供してもよい。
【００９６】
また、オンライン１５３０と命名されたユーザインタフェースは、友人や類似ユーザからの接続の有無をユーザに知らせたり、最近のチャット内容などをユーザに提供するための機能を含んでもよい。また、接続された友人や類似ユーザとチャットを行うための機能を提供してもよい。設定１５４０と命名されたユーザインタフェースは、無線端末に設置されて動作する統合コミュニケーションツールの環境設定のための機能を提供してもよい。
【００９７】
図１６は、本発明の一実施形態に係るコミュニケーション方法を示すフローチャートである。本実施形態に係るコミュニケーション方法は、図７を参照して説明した端末７００によって行われてもよい。図１６では、端末７００によって各ステップが行われる過程を説明することによって、コミュニケーション実行方法を説明する。
【００９８】
ステップＳ１６１０において、端末７００は、統合コミュニケーションツールのユーザインタフェースのうち少なくとも１つを画面に表示する。ここで、統合コミュニケーションツールは、ウェブブラウザ上でオーバーレイ形式で動作する環境、有線端末に設置されて動作する環境、および無線端末に設置されて動作する環境のうち２つ以上の環境で動作してもよい。
【００９９】
このとき、端末７００がウェブブラウザ上でオーバーレイ形式で動作する環境の統合コミュニケーションツールを用いる場合、端末７００は、ウェブブラウザを介して活性化したインターネットウィンドウを画面に表示するとと同時に、統合コミュニケーションツールのユーザインタフェースを画面に表示してもよい。また、ウェブブラウザを介して複数のインターネットウィンドウが活性化される場合、統合コミュニケーションツールは、活性化した複数のインターネットウィンドウそれぞれに対して同一のユーザインタフェースを提供してもよい。
【０１００】
また、端末７００が有線端末に設置されて動作する環境、または無線端末に設置されて動作する環境の統合コミュニケーションツールを用いる場合、端末７００は、直接統合コミュニケーションツールのユーザインタフェースを画面に表示してもよい。
【０１０１】
ステップＳ１６２０において、端末７００は、統合コミュニケーションツールのユーザインタフェースを介して入力されるデータを統合コミュニケーションシステム２００に送信し、統合コミュニケーションツールの動作のためのデータを統合コミュニケーションシステム２００から受信する。
【０１０２】
このとき、端末７００で動作する統合コミュニケーションツールを介してログインしたユーザが少なくとも１つの他の端末で統合コミュニケーションツールを介してマルチログインした場合、ユーザのマルチログイン情報に基づいて統合コミュニケーションツールの動作のためのデータが送信される端末が決定される。すなわち、上述したように、マルチログイン情報は、統合コミュニケーションシステム２００で管理されてもよく、ユーザがマルチログインした場合、統合コミュニケーションシステム２００は、統合コミュニケーションツールの動作のためのデータを送信するための端末をユーザのマルチログイン情報に基づいて決定してもよい。
【０１０３】
例えば、統合コミュニケーションツールの動作のためのデータが送信される端末は、ユーザがマルチログインした端末で発生するイベント、マルチログインするために利用された統合コミュニケーションツールの動作環境、および統合コミュニケーションツールの環境設定のうち少なくとも１つをさらに用いて決定してもよい。データを送信するための端末を決定する方法については図２乃至図６を参照して既に詳しく説明したため、重複する説明は省略する。
【０１０４】
ステップＳ１６３０において、端末７００は、受信されたデータを用いて統合コミュニケーションツールの動作を制御する。例えば、受信されたデータがお知らせデータである場合、端末７００は、ステップＳ１６１０を介して統合コミュニケーションツールの該当ユーザインタフェースが画面に表示されるように制御してもよい。
【０１０５】
このように、本発明の実施形態によると、ユーザに関連する少なくとも１つ以上のコミュニケーションサーバの統合コミュニケーションツールを提供することによって、ユーザが該当コミュニケーションサーバに直接接続しなくても、いつでもコミュニケーションサービスを提供することができる。また、互いに異なる端末で動作する統合コミュニケーションツールを介して同一のユーザがマルチログインする場合、ユーザのマルチログイン情報を管理してマルチログイン情報に基づいてデータを送信することにより、統合的なコミュニケーションサービスを提供することができる。
【０１０６】
また、ユーザが用いる端末の有線／無線の有無、アプリケーションが端末に設けられるかの有無などに関わらず、統合的な通信サービスを提供することができ、マルチログイン及び統合的な通信サービスが可能な統合コミュニケーションツールの動作を制御することができる。
【０１０７】
本発明の実施形態に係る方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などの単独または組み合わせたものを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【０１０８】
上述したように本発明を限定された実施形態と図面とによって説明したが、本発明は、上記の実施形態に限定されることなく、本発明が属する分野における通常の知識を有する者であれば、このような実施形態から多様な修正及び変形をすることが可能である。
【０１０９】
したがって、本発明の範囲は、開示された実施形態に限定されて定められるものではなく、特許請求の範囲だけではなく特許請求の範囲と均等なものなどによって定められる。
【符号の説明】
【０１１０】
２００      統合コミュニケーションシステム
２１０      統合コミュニケーションツール提供部
２２０      マルチログイン管理部
２３０      端末決定部
２４０      通信部
【図１】
0005272064.tif 000002
【図２】
0005272064.tif 000003
【図３】
0005272064.tif 000004
【図４】
0005272064.tif 000005
【図５】
0005272064.tif 000006
【図６】
0005272064.tif 000007
【図７】
0005272064.tif 000008
【図８】
0005272064.tif 000009
【図９】
0005272064.tif 000010
【図１０】
0005272064.tif 000011
【図１１】
0005272064.tif 000012
【図１２】
0005272064.tif 000013
【図１３】
0005272064.tif 000014
【図１４】
0005272064.tif 000015
【図１５】
0005272064.tif 000016
【図１６】
0005272064.tif 000017